(57)【要約】エレベータホール呼び装置は、接続部により連動配線回路から電気信号を誘導受信する。このエレベータホール呼び装置は、接続部により連動配線回路から受信される電気信号に基づく電荷を蓄積するコンデンサ装置を備える。ホール呼び回路構成が、連動配線回路を介して少なくとも１つのエレベータ制御装置との間でシグナリング情報を送受信し、そこで、ホール呼び回路構成はコンデンサ装置に結合され、コンデンサ装置内の蓄積された電荷に基づく電力を受給する。【選択図】図２
2008522929.tif 000002
【特許請求の範囲】
【請求項１】
接続部により連動配線回路から電気信号を誘導受信するエレベータホール呼び装置であって、
前記接続部により前記連動配線回路から受信される前記電気信号に関連する電荷を蓄積する電荷蓄積装置と、
前記連動配線回路を介して少なくとも１つのエレベータ制御装置との間でシグナリング情報を送受信し、前記電荷蓄積装置に接続することにより該電荷蓄積装置上の前記蓄積された電荷に基づく電力を受給する、ホール呼び回路構成と
を備える、接続部により連動配線回路から電気信号を誘導受信するエレベータホール呼び装置。
【請求項２】
前記ホール呼び回路構成は、
ホール呼び信号を生成するホール呼び回路と、
前記ホール呼び信号を受信し、前記少なくとも１つのエレベータ制御装置へ処理のために送信する送受信装置と
を備える、請求項１に記載の接続部により連動配線回路から電気信号を誘導受信するエレベータホール呼び装置。
【請求項３】
前記ホール呼び回路は、前記ホール呼び信号を生成する少なくとも１つの押しボタンをさらに備える、請求項２に記載の接続部により連動配線回路から電気信号を誘導受信するエレベータホール呼び装置。
【請求項４】
前記少なくとも１つの押しボタンはエレクトロルミネッセントディスプレイを備え、該エレクトロルミネッセントディスプレイは、該少なくとも１つの押しボタンが作動されると作動される、請求項３に記載の接続部により連動配線回路から電気信号を誘導受信するエレベータホール呼び装置。
【請求項５】
前記ホール呼び回路は、前記少なくとも１つの押しボタンに結合されて、該少なくとも１つの押しボタンの作動時に電気指示信号を生成する圧電装置をさらに備える、請求項３に記載の接続部により連動配線回路から電気信号を誘導受信するエレベータホール呼び装置。
【請求項６】
前記電気信号は１２０Ｖの交流（ＡＣ）信号である、請求項１に記載の接続部により連動配線回路から電気信号を誘導受信するエレベータホール呼び装置。
【請求項７】
前記結合手段は結合トランスである、請求項１に記載の接続部により連動配線回路から電気信号を誘導受信するエレベータホール呼び装置。
【請求項８】
前記ホール呼び回路構成は、前記電荷蓄積装置に二次電荷を供給する光起電装置をさらに備え、該二次電荷は該電荷蓄積装置に蓄積される、請求項１に記載の接続部により連動配線回路から電気信号を誘導受信するエレベータホール呼び装置。
【請求項９】
前記ホール呼び回路構成は、前記連動配線回路から受信される前記電気信号に関連する電荷が前記電荷蓄積装置により受信されない場合に該電荷蓄積装置への前記二次電荷の供給を制御する電力制御装置をさらに備える、請求項８に記載の接続部により連動配線回路から電気信号を誘導受信するエレベータホール呼び装置。
【請求項１０】
前記ホール呼び回路構成は、前記電荷蓄積回路への前記二次電荷と、前記連動配線回路から受信される前記電気信号に関連する前記電荷との同時供給の提供を制御する電力制御装置をさらに備える、請求項８に記載の接続部により連動配線回路から電気信号を誘導受信するエレベータホール呼び装置。
【請求項１１】
前記電荷蓄積装置はコンデンサ装置を含み、該コンデンサ装置はエアロゲルのコンデンサである、請求項１に記載の接続部により連動配線回路から電気信号を誘導受信するエレベータホール呼び装置。
【請求項１２】
電荷蓄積装置とホール呼び回路構成とを備えるエレベータホール呼びボタン装置に電力を供給する方法であって、
連動配線回路に沿って電気信号を生成するステップと、
前記連動配線からの前記電気信号を前記電荷蓄積装置に誘導結合するステップであって、該電荷蓄積装置は、該受信した電気信号に関連する電荷を蓄積する、誘導結合するステップと、
前記電荷蓄積装置上の前記蓄積された電荷に基づいて電力を前記ホール呼び回路構成に供給するステップと
を含む、エレベータホール呼びボタン装置に電力を供給する方法。
【請求項１３】
前記電荷蓄積装置に付加的な電荷を蓄積する二次電源を提供することをさらに含む、請求項１２に記載のエレベータホール呼びボタン装置に電力を供給する方法。
【請求項１４】
前記二次電源は、前記電荷が前記連動配線から前記電荷蓄積装置に誘導結合されていない時に該電荷蓄積装置を充電する光起電装置を含む、請求項１３に記載のエレベータホール呼びボタン装置に電力を供給する方法。
【請求項１５】
前記二次電源は、前記電荷が前記連動配線から前記電荷蓄積装置に誘導結合されている時に同時に前記電荷蓄積装置を充電する光起電装置を含む、請求項１３に記載のエレベータホール呼びボタン装置に電力を供給する方法。
【請求項１６】
前記ホール呼び回路構成に関連する少なくとも１つのホール呼びボタンを作動することによりホール呼び信号を生成することをさらに含む、請求項１１に記載のエレベータホール呼びボタン装置に電力を供給する方法。
【請求項１７】
前記少なくとも１つのホール呼びボタンを作動することが、前記ホール呼び信号を生成する圧電装置を作動する、請求項１１に記載のエレベータホール呼びボタン装置に電力を供給する方法。
【請求項１８】
エレベータ連動配線と通信するエレベータシグナリング装置であって、
シグナリング情報を生成するホール呼び装置と、
誘導結合により前記エレベータ連動配線から変調された制御信号を受信する結合装置と、
前記結合装置から受信される前記変調された制御信号から復調された制御信号を生成すると共に、前記ホール呼び装置から受信される前記生成されたシグナリング情報を変調し、該変調されたシグナリング情報を前記結合装置へ送り、それにより、該変調されたシグナリング情報が前記連動配線上に誘導結合される、送受信装置と
を備える、エレベータ連動配線と通信するエレベータシグナリング装置。
【請求項１９】
前記ホール呼び装置は、エレクトロルミネッセント表示装置と少なくとも１つのホール呼びボタンとを備え、前記エレクトロルミネッセント表示装置は、前記送受信信号から前記復調された制御信号を受信すると共に、前記少なくとも１つのホール呼びボタンを照明する、請求項１８に記載のエレベータ連動配線と通信するエレベータシグナリング装置。
【請求項２０】
前記連動配線から電気信号を受信する電荷蓄積装置をさらに備え、該電気信号は該連動配線内を流れる、請求項１８に記載のエレベータ連動配線と通信するエレベータシグナリング装置。
【請求項２１】
前記電荷蓄積装置は、前記連動配線からの前記受信された電気信号に基づく電荷を蓄積するコンデンサ装置を含む、請求項２０に記載のエレベータ連動配線と通信するエレベータシグナリング装置。
【請求項２２】
前記蓄積される電荷は、前記送受信装置の動作のための電力を供給する、請求項２１に記載のエレベータ連動配線と通信するエレベータシグナリング装置。
【請求項２３】
前記蓄積される電荷は、前記ホール呼び装置の動作のための電力を供給する、請求項２１に記載のエレベータ連動配線と通信するエレベータシグナリング装置。
【請求項２４】
前記結合装置は誘導コイルを含む、請求項１８に記載のエレベータ連動配線と通信するエレベータシグナリング装置。
【請求項２５】
前記結合装置はアンテナを含む、請求項１８に記載のエレベータ連動配線と通信するエレベータシグナリング装置。
【発明の詳細な説明】
【技術分野】
【０００１】
［発明の分野］
本発明は、エレベータホール備品に関し、特に、動作に代替電源を利用したホール呼び備品に関する。特に、本発明は、エレベータシステムの連動配線から電力にアクセスするホール呼び備品に関する。
【背景技術】
【０００２】
［発明の背景］
エレベータに関連する複雑なシステム環境において、電力の導出、そして特に、電力使用の節約及び最適化の試みは、非常に重要で関心の高い多くの問題の１つである。
【０００３】
もう１つの考慮すべき要素は、エレベータシステム内のシグナリング配線及び電力ケーブル配線の低減である。エレベータシステム内の電力配線及び信号配線の複雑度が高くなるに従い、設置コスト、設置時間、保守コスト、保守時間、及び全体的な故障検出のオーバーヘッドも増す。
【０００４】
しかし、ｒｆ送受信機を用いて動作するホール備品装置を利用することによって配線の複雑度を低減する現行システムがある。したがって、データ又は情報の搬送波としてのｒｆの使用は、配線の複雑度を低減する手段を提供する。これらのシステムは、配線の複雑度を低減すると主張するが、干渉によるｒｆ通信リンクの信頼性の問題、及びホール備品にインタフェースされるｒｆ送受信装置に対する電力の供給といった他の課題を生じる。したがって、別個の配線を用いるという複雑度を低減するエレベータホール備品を提供する必要がある。特に、既存のエレベータシステムの配線設備を使用して、ホール備品装置に対する信頼性のある通信リンクを提供するたけでなく、これらの装置に電力を供給する手段を提供するエレベータシステムが必要とされている。
【発明の開示】
【発明が解決しようとする課題】
【０００５】
したがって、本発明の目的は、既存の配線設備を信号通信に使用することができるホール備品装置を提供することである。
【０００６】
本発明の別の目的は、既存のエレベータシステム設備内の様々な電力供給源及び電力資源から電力を抽出することができるホール備品装置を提供することである。
【課題を解決するための手段】
【０００７】
［発明の概要］
本発明は、エレベータホール呼び装置等のエレベータシグナリング装置を提供し、この装置は、その電気回路構成を動作させるための電力にアクセスする手段としてエレベータシステムの連動配線を利用する。
【０００８】
本発明のシステム及び方法の一態様は、結合装置により連動配線回路から電気信号を誘導受信するエレベータホール呼び装置を提供する。このエレベータホール呼び装置は、結合装置により連動配線回路から受信される電気信号に関連する電荷を蓄積するコンデンサ装置を備える。このホール呼び装置は、連動配線回路を介して少なくとも１つのエレベータ制御装置との間でシグナリング情報を送受信するホール呼び回路構成を備え、それにより、ホール呼び回路構成はコンデンサ装置に結合され、コンデンサ装置内の蓄積された電荷に基づく電力を受給する。
【０００９】
本発明のシステム及び方法の別の態様は、コンデンサ装置とホール呼び回路構成とを備えるエレベータホール呼びボタン装置に電力を供給する方法を提供する。本方法は、連動配線回路に沿って電気信号を生成するステップと、連動配線からの電気信号をコンデンサ装置に誘導結合するステップとを含む。コンデンサ装置は、受信した電気信号に関連する電荷を蓄積し、コンデンサ装置上の蓄積された電荷に基づいて電力をホール呼び回路構成に供給する。
【００１０】
本発明のシステム及び方法のさらに別の態様は、エレベータ連動配線と通信するエレベータシグナリング装置を提供する。このエレベータシグナリング装置は、情報信号を生成するホール呼び装置を備える。誘導結合によりエレベータ連動配線から変調された制御信号を受信する結合装置が設けられる。次に送受信装置が、結合装置から受信される変調された制御信号から復調された制御信号を生成する。ホール呼び装置から受信される送信された情報信号は変調されて、送受信機により結合装置へ送られ、それにより、変調された情報信号が連動配線上に誘導結合される。
【発明を実施するための最良の形態】
【００１１】
［発明の詳細な説明］
図１は、本発明の一態様によるホール呼び装置１００を示す。ホール呼び回路１００は、ホール呼び回路１０２と、送受信装置１０４と、電源システム１０６と、結合装置１０８とを備える。ホール呼び装置１０２はまた、上ボタン１１０ｂ及び下ボタン１１０ａを含む。ホール呼び回路１０４は、上ボタン１１０ｂ又は下ボタン１１０ａのいずれかの作動に対応するシグナリング情報を含む電気信号を生成する。上ボタン１１０ｂ／下ボタン１１０ａの作動により生成されるシグナリング情報は送受信機１０４により受信され、そこで処理されてｒｆ搬送波に変調される。送受信装置１０４により生成される変調されたｒｆ搬送波信号は結合装置１０８により受信され、そこで結合装置１０８は変調されたｒｆ搬送波信号をエレベータ連動配線１１２上に誘導結合する。
【００１２】
ホール呼び回路１０２は、上ボタン１１０ｂ／下ボタン１１０ａの作動の結果として生じる生成されたシグナリング情報を何らかの既知の方法に従ってフォーマットしてもよい。例えば、生成されたシグナリング情報は、ホール呼び備品の物理ロケーション（例えば、エレベータバンクＡの４階乗場）に対応する送信元アドレス情報、ホール呼び要求が行われた（すなわち、ホール呼びボタンが作動された）時刻を示すタイムスタンプ等を有するデジタル化パケットを含んでもよい。本発明の範囲から逸脱することなく、代替的なシグナリング方法もまたホール呼び回路１０２により使用され得る。
【００１３】
送受信装置１０４により採用される処理、変調フォーマット、及び通信プロトコルもまた、連動配線を介して通信するホール備品装置の数、連動配線の長さ、及び連動配線のケーブル特性（帯域幅）等の様々な要素に基づいて変更されてもよい。本発明による一実施形態において、結合装置１１０は例えば、変調を磁気誘導するために連動配線の周囲に巻き付けられる誘導コイルを含んでもよい。別の実施形態において、結合装置１１０は、連動配線１１２の近くに配置されるアンテナ装置を含んでもよい。その場合、アンテナ装置から放射される変調されたｒｆ搬送波に関連する電磁放射線が連動配線１１２において磁気誘導され、変調されたｒｆ搬送波はシグナリング情報を１つ又は複数のエレベータシステム制御装置１１４及び／又はグループ制御装置（図示せず）へ伝達する。
【００１４】
同様に、１つ又は複数のエレベータシステム制御装置１１４により生成される変調された制御信号は、適切な結合手段（例えば磁気結合）を用いて連動配線上に結合される。１つ又は複数のエレベータシステム制御装置１１４は、ホール呼び装置１００等のホール呼び装置から受信されるシグナリング情報に応答して制御信号を生成する。
【００１５】
例えば、上ボタン１１０ｂ／下ボタン１１０ａのうちの一方が作動される時、シグナリング情報は、ホール呼びが発生した対応階へのエレベータの配車を要求するホール呼び信号を含む。エレベータ制御装置は、このホール呼び信号を受信して処理すると、ホール呼び確認応答信号を含む制御信号を生成し、特に上ボタン１１０ｂ／下ボタン１１０ａのディスプレイ（図示せず）を照明する。制御装置により生成されるホール呼び確認応答信号はｒｆ搬送波に変調され、送受信／結合装置１１６により連動配線１１２上に結合される。送受信／結合装置１１６により採用される結合は、変調されたｒｆ搬送波を連動配線１１２上に磁気誘導するための誘導コイル又はアンテナ装置を含んでもよい。他の誘導又は結合技法を用いて信号を連動配線上に結合してもよい。ｒｆ信号及び磁気誘導装置（例えば、アンテナ、コイル等）を結合装置１１０及び１１６に関連して説明してきたが、他の結合又は信号誘導技法を使用してもよい。
【００１６】
制御信号を含む変調されたｒｆ信号が連動配線に沿って送信されると、結合装置１１０がこの制御信号を受信し、この制御信号は次に、復調のために送受信機１０４に送られる。復調された制御信号はホール呼び回路１０２に送られ、そこで復号される。復号された制御信号から抽出された制御機能に基づいて、例えば上ボタン／下ボタンのディスプレイの照明、ホール呼び動作モードの変更等といった特定のシグナリング動作がホール呼び装置１００において実行される。
【００１７】
電源システム１０６は、ホール呼び装置１００に電力を供給する。したがって、ホール呼び回路１０２、送受信装置１０４、及び結合装置１１０（必要であれば）に電力が供給される。結合装置は、誘導コイル等のパッシブ装置である場合、電力を一切必要としない場合がある。しかし、結合装置１１０が何らかの前段の増幅処理又は後段の信号検出処理を含む場合、電源システム１０６を介して結合装置１１０に電力を供給してもよい。電源システム１０６は、図１に示すように、連動配線１１２内を流れる１２０Ｖの交流信号から電力を抽出する。
【００１８】
図２は、図１に示すホール呼び装置１００の電力資源を示す。図２に示すように、連動配線２０２内を流れる１２０Ｖの交流信号が結合トランス２０４を介して電源システム２０６に結合される。電源２０６は、結合トランス１１８から誘導結合される１２０Ｖの交流入力信号から直流（ＤＣ）安定化電力を生成する回路構成を含んでもよい。交流信号は、整流され所望の直流電圧に安定化されると、電荷蓄積装置２０８に印加される。電荷蓄積装置は、Cooper Electronics Limited（本社所在地：フロリダ州ボイントンビーチ）の事業体であるＰｏｗｅｒＳｔｏｒ（登録商標）により供給されるＡｅｒｏｇｅｌ  Ｓｕｐｅｒｃａｐａｃｉｔｏｒのような超高容量装置を含んでもよい。
【００１９】
電荷蓄積装置２０８は、電源２０６により供給される安定化された直流電圧に関連する電荷を蓄積し、この電荷蓄積装置２０８上に保持される蓄積された電荷が、ホール呼び装置２００の全て又はほとんどの構成要素に電力モード制御装置２１０を介して電力を供給する。図示のように、電力モード制御装置２１０は、ホール呼び上下ボタン２１２、ホール呼び回路／ＥＬ回路駆動２１４、送受信装置２１６、及び結合装置２１８（電力は任意）に電気を分配する。また、エレベータが開位置にあるか、又はエレベータが保守のために運転を休止しているために１２０Ｖの交流信号が連動配線２０２に流れ込まない時、電荷蓄積装置２０８は、連動ロック配線２０２から以前に導出した蓄積された電荷によりホール呼び装置２００に電力を供給する。
【００２０】
ホール呼び装置２００内の電力モード制御装置２１０は、エレベータホール呼び装置２００の動作モードを記憶することができる。例えば、ホール呼び装置２００は、そのホール呼び装置２００が位置する階に配車されるどのエレベータかごも途中階には止まらず指定階（例えばペントハウス）にしか移動できないＶＩＰモードにすることができる。電力モード制御装置２１０はまた、特に装置が所定時間にわたって待機状態である場合にホール呼び装置２００内の電力を節約するための「スリープモード」を含む。ホール呼び装置２００が待機状態である場合、電力モード制御装置２１０は、電荷蓄積装置とホール呼び装置２００の他の構成要素（上下ボタン２１２（電力は任意）、ホール呼び回路／ＥＬ駆動回路２１４、送受信機２１６、及び結合装置２１８（電力は任意）等）との間の電力を切断してもよい。これにより、電荷蓄積装置２０８（例えばＡｅｒｏｇｅｌ  Ｓｕｐｅｒｃａｐａｃｉｔｏｒ）内の電力の節約を高めることができる。
【００２１】
結合装置２１８がコイル又はアンテナ等のパッシブ装置であり、電力を必要とするアクティブ回路構成を含まない場合、電力モード制御装置２１０がこの装置２１８への電力供給を制御する必要はない。同様に、ホール呼びボタン２１２が自己発電式（例えば太陽発電式）である場合、やはり電力モード制御装置２１０からの電力は必要ない。電力モード制御装置２１０は、ホール呼び装置２００内の別個の装置として示されているが、別の装置（例えば、電荷蓄積装置２０８、又は電源２０６等）に組み込まれてもよい。
【００２２】
ホール呼び装置２００は、エレベータ制御装置２２０（図１）から送信されるｒｆ変調された制御信号を受信した瞬間に、又はホール呼びボタン２１２のうちの１つが乗り込む可能性のある乗客により作動されると「スリープモード」から復帰（すなわち起動）してもよい。エレベータ制御装置２２０がｒｆ変調された制御信号を生成し連動配線２０２を介して結合装置２１８へ送信すると、変調された制御信号は、電力モード制御装置２１０への入力２２２において検出される。この信号が検出されると、電力モード制御装置２１０はホール呼び装置２００内の様々な装置（例えば、送受信装置２１６、ホール呼び回路／ＥＬ駆動回路２１４）への電力を復旧する。
【００２３】
ホール呼び上下ボタン２１２は、上ボタン２２４と、下ボタン２２６と、上ボタン圧電モジュール２２８と、下ボタン圧電モジュール２３０とを備える。上ボタン２２４が作動されると、圧電モジュール２２８が、ボタン２２６により圧電モジュール２２８に加えられた機械的な力に基づいてシグナリング情報を生成する。このシグナリング情報は、ホール呼び回路／ＥＬ駆動回路２１４により受信され処理され、そこで、生成されたシグナリング情報は、ホール呼び備品の物理ロケーション（例えば、エレベータバンクＡの４階乗場）に対応する送信元アドレス情報、ホール呼び要求が行われた（すなわち、ボタン２２４が作動された）時刻を示すタイムスタンプ、エレベータシステムの動作に関連する「動作モード」情報（例えば、ＶＩＰモード、Ｃｏｄｅ  Ｂｌｕｅモード等）、並びにエレベータ環境内で機能性及び有用性を提供する他の情報フィールドを含むデジタル化パケットに変換されてもよい。システムにより採用される通信プロトコル及び信号変調フォーマットに基づいて、変換されたシグナリング情報は、送受信装置２１６においてｒｆ搬送波周波数に変調される。送受信機２１６において生成される変調されたシグナリング情報は次に、結合装置２１８を介して連動配線２０２上に誘導結合される。
【００２４】
同様に、下ボタン２２６が作動されると、圧電モジュール２３０が、圧電モジュール２３０に加えられた機械的な力に基づいてシグナリング情報を生成する。このシグナリング情報は、ホール呼び回路／ＥＬ駆動回路２１４により受信され処理され、そこで、生成されたシグナリング情報は、ホール呼び備品の物理ロケーション（例えば、エレベータバンクＡの４階乗場）に対応する送信元アドレス情報、ホール呼び要求が行われた（すなわち、ボタン２２６が作動された）時刻を示すタイムスタンプ、エレベータシステムの動作に関連する「動作モード」情報（例えば、ＶＩＰモード、Ｃｏｄｅ  Ｂｌｕｅモード等）、並びにエレベータ環境内で機能性及び有用性を提供する他の情報フィールドを含むデジタル化パケットに変換されてもよい。システムにより採用される通信プロトコル及び信号変調フォーマットに基づいて、変換されたシグナリング情報は次に、送受信装置２１６においてｒｆ搬送波周波数に変調される。送受信機２１６において生成される変調されたシグナリング情報は次に、結合装置２１８を介して連動配線２０２上に誘導結合される。
【００２５】
エレベータ制御装置２２０がｒｆ変調された制御信号を生成し連動配線２０２を介して結合装置２１８へ送信すると、変調された制御信号は、電力モード制御装置２１０への入力２２２において検出される。この信号が検出されると、ホール呼び装置２００が「スリープモード」であった場合、電力モード制御装置２１０はホール呼び装置２００内の様々な装置（例えば、送受信装置２１６、ホール呼び回路／ＥＬ駆動回路２１４）への電力を復旧する。電力制御装置２１０を介して電力が供給されると、送受信機２１６及びホール呼び回路／ＥＬ駆動回路２１４は、結合装置２１８により受信された変調された制御信号を処理する。送受信機２１６は、変調された制御信号を復調する。
【００２６】
復調された制御信号は次に、ホール呼び回路／ＥＬ駆動回路２１４により受け取られ、そこで処理される。制御信号を処理することにより、ホール呼び回路／ＥＬ駆動回路２１４は、エレベータ制御装置２２０を発信元とする発行された制御信号に対応するコマンド又は適切な信号を生成する。例えば、制御信号が、「ホール呼び要求信号」に応答して生成される「確認応答信号」である場合、ホール呼び回路／ＥＬ駆動回路２１４内のエレクトロルミネッセント駆動回路が、作動されたホール呼びボタン（すなわち２２４又は２２６）に関連する適切なエレクトロルミネッセントディスプレイを照明するためのディスプレイ信号を生成する。
【００２７】
上ボタン２２４が作動されると、作動検知信号が生成され、電力モード制御装置２１０の入力２３２により受信され得る。作動信号は、ボタン２２４が作動されたか又は作動されようとしていることを検出する任意の既知の検知手段により生成されてもよい。同様に、下ボタン２２６の作動により、作動検知信号が生成され、電力モード制御装置２１０の入力２３４により受信され得る。この作動信号もまた、上ボタン２２６が作動されたか又は作動されようとしていることを検出する任意の既知の検知手段により生成されてもよい。
【００２８】
上ボタン圧電モジュール２２８及び下ボタン圧電モジュール２３０は、ホール呼び要求に関連するホール呼びシグナリング情報を生成するための自己発電機構を提供するが、電荷蓄積装置２０８及び電力モード制御装置２１０によりホール呼び上下ボタン２１２に電力を直接供給することも可能であり得る。この実施形態では、上ボタン圧電モジュール２２８及び下ボタン圧電モジュール２３０を省略してもよい。
【００２９】
上述のように、ホール呼び装置２００は、電荷蓄積装置２０８に蓄積された電荷により給電されるため、電荷は、連動回路２０２内を流れる１２０Ｖの交流電力信号から誘導結合されるか又は他の方法で結合される。ホール呼び装置２００はまた、電荷蓄積装置２０８を充電するための付加的な電力源として働く光起電装置２３６を備える。光起電装置２３６は、光（自然の又は人工的に生成された光子のいずれか）を受光し、これを電流に変換する。ホール呼び装置２００のロケーションに応じて、光起電装置２３６は、ホール呼び装置２００及び光起電装置２３６の近くで生成される光（例えば、ホール乗場の光、窓から差し込む光等）から電流を生成する。
【００３０】
電力モード制御装置２１０の制御下で、光起電装置２３６は、連動配線２０２から結合される１２０Ｖの交流電力信号から電荷蓄積装置２０８が充電されない時に電荷蓄積装置２０８に電荷を供給し得る。これは、エレベータドアが開いており、連動配線２０２の回路が切断されるために生じる場合がある。或いは、エレベータが保守のために運転を休止している場合があり、これもまた、電流（すなわち１２０Ｖの交流）が連動配線２０２内を流れない状況を生じる。代替的に、光起電装置２３６は、連動配線２０２から結合される１２０Ｖの交流電力信号から電荷蓄積装置２０８が充電されるのと同時に電荷蓄積装置２０８に電荷を供給してもよい。２３８で示される光起電装置の出力は、電力モード制御装置２１０により制御入力２４０を介してイネーブル又はディセーブルされる。
【００３１】
図１及び図２に示す実施形態は、上ボタン２２４及び下ボタン２２６を示す。しかし、本発明の精神及び範囲から逸脱することなく、本明細書中で例示及び説明されるホール呼び装置は１つのボタン又は複数のボタンを含んでもよいことが理解されるであろう。例えば、建物の最上階又は１階のホール呼び装置は１つのボタンしか必要としない場合がある。同様に、ホール呼び装置は、多数のエレベータ機能に関連する多数のシグナリング情報を提供するための複数のボタン及びセンサ（図示せず）を含んでもよい。
【００３２】
上述の本発明の態様の実施形態に加えて、当業者は様々な他の配置及びステップに辿り着くことができるであろう。これらの他の配置及びステップは、本文書に明示的に記載されていないとしても、本発明の原理を具現するものであり、添付の特許請求の範囲に入る。例えば、方法ステップの順序は必ずしも固定されておらず、本発明の範囲及び精神から逸脱することなく変更することができる。
【図面の簡単な説明】
【００３３】
【図１】本発明の一態様による、エレベータ連動配線に結合されるエレベータホール呼び装置を示す図である。
【図２】本発明の一態様による、図１に示されるホール呼び装置の電力資源を示す図である。
【符号の説明】
【００３４】
１０２  ホール呼び回路
１０４  送受信装置
１０６  電源システム
１１０  結合装置
１１４  エレベータ制御装置１〜Ｎ
１１６  送受信／結合装置
２０４  結合トランス
２０６  電源システム
２０８  電荷蓄積装置
２１０  電力モード制御装置
２１４  ホール呼び回路／ＥＬ駆動回路
２１６  送受信装置
２１８  結合装置
２２０  エレベータ制御装置１
２２４、２２６  ＥＬボタン
２３６  光起電装置
【図１】
2008522929.tif 000003
【図２】
2008522929.tif 000004
【国際調査報告】
2008522929.tif 000005
2008522929.tif 000006